(57)【特許請求の範囲】
【請求項１】
車速を検出する車速検出手段と、操舵角を検出する操舵角検出手段と、車両の実際のヨーレートを検出する実ヨーレート検出手段と、各車輪のタイヤ圧を検出するタイヤ圧検出手段と、車速と操舵角を基に目標とするヨーレートを算出する目標ヨーレート算出手段と、実ヨーレートから目標ヨーレートを減算しヨーレート偏差を算出するヨーレート偏差算出手段と、車両の運動状態とヨーレート偏差とを基に目標制動力を算出する目標制動力算出手段と、上記各車輪のタイヤ圧の状態を判断し、前後輪のタイヤ圧を正常範囲の圧力値と比較して上記タイヤ圧が上記正常範囲外となる車輪側とそのタイヤ圧の高低とに基づいて上記正常範囲内となる車輪側の上記目標制動力を補正するタイヤ圧影響補正手段と、実ヨーレートとヨーレート偏差を基に車両がアンダーステア傾向にある際には、旋回内側後輪を制動輪として選択し、オーバーステア傾向にある際には、旋回外側前輪を制動輪として選択する実ヨーレートとヨーレート偏差を基に制動力を付加する制動輪を選択する制動輪選択手段と、制御領域にあるか否かを判定するヨーレート偏差の判定しきい値を予め設定するとともに、ヨーレート偏差と上記判定しきい値とを比較し制御領域にあるか否か判定する出力判定手段と、上記出力判定手段で制御領域にあると判定した際に演算した目標制動力を上記制動輪選択手段で選択した制動輪に加えるようにブレーキ駆動部へ信号出力する制動信号出力手段とを備えたことを特徴とする制動力制御装置。
【請求項２】
車速を検出する車速検出手段と、操舵角を検出する操舵角検出手段と、車両の実際のヨーレートを検出する実ヨーレート検出手段と、各車輪のタイヤ圧を検出するタイヤ圧検出手段と、車速と操舵角を基に目標とするヨーレートを算出する目標ヨーレート算出手段と、実ヨーレートから目標ヨーレートを減算しヨーレート偏差を算出するヨーレート偏差算出手段と、車両の運動状態とヨーレート偏差とを基に目標制動力を算出する目標制動力算出手段と、実ヨーレートとヨーレート偏差を基に車両がアンダーステア傾向にある際には、旋回内側後輪を制動輪として選択し、オーバーステア傾向にある際には、旋回外側前輪を制動輪として選択する制動輪選択手段と、制御領域にあるか否かを判定するヨーレート偏差の判定しきい値を予め設定するとともに、ヨーレート偏差と上記判定しきい値とを比較し制御領域にあるか否か判定する出力判定手段と、上記各車輪のタイヤ圧の状態を判断し、前後輪のタイヤ圧を正常範囲の圧力値と比較して上記タイヤ圧が上記正常範囲外となる車輪側とそのタイヤ圧の高低とに基づいて上記正常範囲内となる車輪側を上記制動輪選択手段で選択して制御を実行させる際の上記出力判定手段で予め設定する判定しきい値を補正するタイヤ圧影響補正手段と、上記出力判定手段で制御領域にあると判定した際に演算した目標制動力を上記制動輪選択手段で選択した制動輪に加えるようにブレーキ駆動部へ信号出力する制動信号出力手段とを備えたことを特徴とする制動力制御装置。
【請求項３】
車速を検出する車速検出手段と、操舵角を検出する操舵角検出手段と、車両の実際のヨーレートを検出する実ヨーレート検出手段と、各車輪のタイヤ圧を検出するタイヤ圧検出手段と、車速と操舵角を基に目標とするヨーレートを算出する目標ヨーレート算出手段と、実ヨーレートから目標ヨーレートを減算しヨーレート偏差を算出するヨーレート偏差算出手段と、車両の運動状態とヨーレート偏差とを基に目標制動力を算出する目標制動力算出手段と、実ヨーレートとヨーレート偏差を基に車両がアンダーステア傾向にある際には、旋回内側後輪を制動輪として選択し、オーバーステア傾向にある際には、旋回外側前輪を制動輪として選択する制動輪選択手段と、制御領域にあるか否かを判定するヨーレート偏差の判定しきい値を予め設定するとともに、ヨーレート偏差と上記判定しきい値とを比較し制御領域にあるか否か判定する出力判定手段と、上記各車輪のタイヤ圧の状態を判断し、前後輪のタイヤ圧を正常範囲の圧力値と比較して上記タイヤ圧が上記正常範囲外となる車輪側とそのタイヤ圧の高低とに基づいて上記正常範囲内となる車輪側の上記目標制動力を補正すると共に、上記正常範囲内となる車輪側を上記制動輪選択手段で選択して制御を実行させる際の上記出力判定手段で予め設定する判定しきい値を補正するタイヤ圧影響補正手段と、上記出力判定手段で制御領域にあると判定した際に演算した目標制動力を上記制動輪選択手段で選択した制動輪に加えるようにブレーキ駆動部へ信号出力する制動信号出力手段とを備えたことを特徴とする制動力制御装置。
【請求項４】
上記タイヤ圧影響補正手段は、前輪側のタイヤ圧が上記正常範囲より低いと判断した場合には後輪側の目標制動力を上昇させて補正し、後輪側のタイヤ圧が上記正常範囲より低いと判断した場合には前輪側の目標制動力を上昇させて補正し、前輪側のタイヤ圧が上記正常範囲より高いと判断した場合には後輪側の目標制動力を低下させて補正し、後輪側のタイヤ圧が上記正常範囲より高いと判断した場合には前輪側の目標制動力を低下させて補正することを特徴とする請求項１又は請求項３記載の制動力制御装置。
【請求項５】
上記タイヤ圧影響補正手段は、前輪側のタイヤ圧が上記正常範囲より低いと判断した場合には後輪側制動選択時における上記判定閾値を低下させて補正し、後輪側のタイヤ圧が上記正常範囲より低いと判断した場合には前輪側制動選択時における上記判定閾値を低下させて補正し、前輪側のタイヤ圧が上記正常範囲より高いと判断した場合には後輪側制動選択時における上記判定閾値を上昇させて補正し、後輪側のタイヤ圧が上記正常範囲より高いと判断した場合には前輪側制動選択時における上記判定閾値を上昇させて補正することを特徴とする請求項２又は請求項３記載の制動力制御装置。
【発明の詳細な説明】
【０００１】
【発明の属する技術分野】
本発明は、車両のコーナリング等の際、制動力を適切な車輪に加えて車両安定性を向上させる制動力制御装置に関する。
【０００２】
【従来の技術】
近年、車両のコーナリング等の際の車両にはたらく力の関係から、コーナリング中に制動力を適切な車輪に加え、車両安定性を向上させる制動力制御装置が開発、実用化されている。
【０００３】
例えば、特開平２−７０５６１号公報には、車両重心を通る鉛直軸を中心とする回転運動、すなわちヨーイングの角速度であるヨーレートを基に制御する制動力制御装置が示されている。この技術では、目標ヨーレートと実際のヨーレート（実ヨーレート）とを比較し、車両の運動状態が目標ヨーレートに対しアンダーステアの傾向かオーバーステアの傾向かを求め、実ヨーレートと目標ヨーレートとが一致するように、アンダーステア傾向の場合には内側車輪に制動力を加え補正し、オーバーステア傾向の場合には外側車輪に制動力を加え補正して車両の走行安定性を向上させるようになっている。
【０００４】
【発明が解決しようとする課題】
しかしながら、車両の挙動を最終的に左右するタイヤの状態、特にタイヤ圧が大きく変化した場合は、目標に近づけるための制御量も変化するため、上記先行技術ではオーバーステア傾向あるいはアンダーステア傾向を十分に抑制できない可能性がある。すなわち、タイヤ圧とコーナリングフォースには相関があり、例えば前輪のタイヤ圧が異常に低下するとアンダーステア傾向が強まるなどの問題がある。
【０００５】
本発明は上記事情に鑑みてなされたもので、タイヤ圧による影響を考慮して車両のオーバーステア傾向あるいはアンダーステア傾向を抑制し、確実に車両の走行安定性を向上させることができる制動力制御装置を提供することを目的としている。
【０００６】
【課題を解決するための手段】
上記目的を達成するため請求項１記載の本発明による制動力制御装置は、車速を検出する車速検出手段と、操舵角を検出する操舵角検出手段と、車両の実際のヨーレートを検出する実ヨーレート検出手段と、各車輪のタイヤ圧を検出するタイヤ圧検出手段と、車速と操舵角を基に目標とするヨーレートを算出する目標ヨーレート算出手段と、実ヨーレートから目標ヨーレートを減算しヨーレート偏差を算出するヨーレート偏差算出手段と、車両の運動状態とヨーレート偏差とを基に目標制動力を算出する目標制動力算出手段と、上記各車輪のタイヤ圧の状態を判断し、前後輪のタイヤ圧を正常範囲の圧力値と比較して上記タイヤ圧が上記正常範囲外となる車輪側とそのタイヤ圧の高低とに基づいて上記正常範囲内となる車輪側の上記目標制動力を補正するタイヤ圧影響補正手段と、実ヨーレートとヨーレート偏差を基に車両がアンダーステア傾向にある際には、旋回内側後輪を制動輪として選択し、オーバーステア傾向にある際には、旋回外側前輪を制動輪として選択する制動輪選択手段と、制御領域にあるか否かを判定するヨーレート偏差の判定しきい値を予め設定するとともに、ヨーレート偏差と上記判定しきい値とを比較し制御領域にあるか否か判定する出力判定手段と、上記出力判定手段で制御領域にあると判定した際に演算した目標制動力を上記制動輪選択手段で選択した制動輪に加えるようにブレーキ駆動部へ信号出力する制動信号出力手段とを備えたものである。
【０００７】
上記請求項１記載の制動力制御装置は、車速検出手段で車速を、操舵角検出手段で操舵角を、実ヨーレート検出手段で車両の実際のヨーレートすなわち実ヨーレートを、タイヤ圧検出手段で各車輪のタイヤ圧をそれぞれ検出する。また、目標ヨーレート算出手段で上記車速検出手段からの車速と上記操舵角検出手段からの操舵角を基に目標とするヨーレートを算出して、ヨーレート偏差算出手段で実ヨーレートから目標ヨーレートを減算しヨーレート偏差を算出する。目標制動力算出手段は、車速や操舵角等の車両の運動状態とヨーレート偏差とを基に目標制動力を算出する。タイヤ圧影響補正手段は、上記各車輪のタイヤ圧の状態を判断し、前後輪のタイヤ圧を正常範囲の圧力値と比較して上記タイヤ圧が上記正常範囲外となる車輪側とそのタイヤ圧の高低とに基づいて上記正常範囲内となる車輪側の上記目標制動力を補正する。制動輪選択手段は、実ヨーレートとヨーレート偏差を基に車両がアンダーステア傾向にある際には、旋回内側後輪を制動輪として選択し、オーバーステア傾向にある際には、旋回外側前輪を制動輪として制動輪を選択する。出力判定手段は、制御領域にあるか否かを判定するヨーレート偏差の判定しきい値を予め設定するとともに、ヨーレート偏差と上記判定しきい値とを比較し制御領域にあるか否か判定する。そして、制動信号出力手段は、上記出力判定手段で制御領域にあると判定した際に演算した目標制動力を上記制動輪選択手段で選択した制動輪に加えるようにブレーキ駆動部へ信号出力する。
【０００８】
また、請求項２記載の本発明による制動力制御装置は、車速を検出する車速検出手段と、操舵角を検出する操舵角検出手段と、車両の実際のヨーレートを検出する実ヨーレート検出手段と、各車輪のタイヤ圧を検出するタイヤ圧検出手段と、車速と操舵角を基に目標とするヨーレートを算出する目標ヨーレート算出手段と、実ヨーレートから目標ヨーレートを減算しヨーレート偏差を算出するヨーレート偏差算出手段と、車両の運動状態とヨーレート偏差とを基に目標制動力を算出する目標制動力算出手段と、実ヨーレートとヨーレート偏差を基に車両がアンダーステア傾向にある際には、旋回内側後輪を制動輪として選択し、オーバーステア傾向にある際には、旋回外側前輪を制動輪として選択する制動輪選択手段と、制御領域にあるか否かを判定するヨーレート偏差の判定しきい値を予め設定するとともに、ヨーレート偏差と上記判定しきい値とを比較し制御領域にあるか否か判定する出力判定手段と、上記各車輪のタイヤ圧の状態を判断し、前後輪のタイヤ圧を正常範囲の圧力値と比較して上記タイヤ圧が上記正常範囲外となる車輪側とそのタイヤ圧の高低とに基づいて上記正常範囲内となる車輪側を上記制動輪選択手段で選択して制御を実行させる際の上記出力判定手段で予め設定する判定しきい値を補正するタイヤ圧影響補正手段と、上記出力判定手段で制御領域にあると判定した際に演算した目標制動力を上記制動輪選択手段で選択した制動輪に加えるようにブレーキ駆動部へ信号出力する制動信号出力手段とを備えたものである。
【０００９】
上記請求項２記載の制動力制御装置は、車速検出手段で車速を、操舵角検出手段で操舵角を、実ヨーレート検出手段で車両の実際のヨーレートすなわち実ヨーレートを、タイヤ圧検出手段で各車輪のタイヤ圧をそれぞれ検出する。また、目標ヨーレート算出手段で上記車速検出手段からの車速と上記操舵角検出手段からの操舵角を基に目標とするヨーレートを算出して、ヨーレート偏差算出手段で実ヨーレートから目標ヨーレートを減算しヨーレート偏差を算出する。目標制動力算出手段は、車速や操舵角等の車両の運動状態とヨーレート偏差とを基に目標制動力を算出する。制動輪選択手段は、実ヨーレートとヨーレート偏差を基に車両がアンダーステア傾向にある際には、旋回内側後輪を制動輪として選択し、オーバーステア傾向にある際には、旋回外側前輪を制動輪として選択する。出力判定手段は、制御領域にあるか否かを判定するヨーレート偏差の判定しきい値を予め設定するとともに、ヨーレート偏差と上記判定しきい値とを比較し制御領域にあるか否か判定する。ここで、上記予め設定する判定しきい値は、上記タイヤ圧影響補正手段により、上記各車輪のタイヤ圧の状態が判断され、前後輪のタイヤ圧を正常範囲の圧力値と比較して上記タイヤ圧が上記正常範囲外となる車輪側とそのタイヤ圧の高低とに基づいて上記正常範囲内となる車輪側を上記制動輪選択手段で選択して制御を実行させる際に補正される。そして、制動信号出力手段は、上記出力判定手段で制御領域にあると判定した際に演算した目標制動力を上記制動輪選択手段で選択した制動輪に加えるようにブレーキ駆動部へ信号出力する。
【００１０】
さらに、請求項３記載の本発明による制動力制御装置は、車速を検出する車速検出手段と、操舵角を検出する操舵角検出手段と、車両の実際のヨーレートを検出する実ヨーレート検出手段と、各車輪のタイヤ圧を検出するタイヤ圧検出手段と、車速と操舵角を基に目標とするヨーレートを算出する目標ヨーレート算出手段と、実ヨーレートから目標ヨーレートを減算しヨーレート偏差を算出するヨーレート偏差算出手段と、車両の運動状態とヨーレート偏差とを基に目標制動力を算出する目標制動力算出手段と、実ヨーレートとヨーレート偏差を基に車両がアンダーステア傾向にある際には、旋回内側後輪を制動輪として選択し、オーバーステア傾向にある際には、旋回外側前輪を制動輪として選択する制動輪選択手段と、制御領域にあるか否かを判定するヨーレート偏差の判定しきい値を予め設定するとともに、ヨーレート偏差と上記判定しきい値とを比較し制御領域にあるか否か判定する出力判定手段と、上記各車輪のタイヤ圧の状態を判断し、前後輪のタイヤ圧を正常範囲の圧力値と比較して上記タイヤ圧が上記正常範囲外となる車輪側とそのタイヤ圧の高低とに基づいて上記正常範囲内となる車輪側の上記目標制動力を補正すると共に、上記正常範囲内となる車輪側を上記制動輪選択手段で選択して制御を実行させる際の上記出力判定手段で予め設定する判定しきい値を補正するタイヤ圧影響補正手段と、上記出力判定手段で制御領域にあると判定した際に演算した目標制動力を上記制動輪選択手段で選択した制動輪に加えるようにブレーキ駆動部へ信号出力する制動信号出力手段とを備えたものである。
【００１１】
上記請求項３記載の制動力制御装置は、車速検出手段で車速を、操舵角検出手段で操舵角を、実ヨーレート検出手段で車両の実際のヨーレートすなわち実ヨーレートを、タイヤ圧検出手段で各車輪のタイヤ圧をそれぞれ検出する。また、目標ヨーレート算出手段で上記車速検出手段からの車速と上記操舵角検出手段からの操舵角を基に目標とするヨーレートを算出して、ヨーレート偏差算出手段で実ヨーレートから目標ヨーレートを減算しヨーレート偏差を算出する。目標制動力算出手段は、車速や操舵角等の車両の運動状態とヨーレート偏差とを基に目標制動力を算出する。制動輪選択手段は、実ヨーレートとヨーレート偏差を基に車両がアンダーステア傾向にある際には、旋回内側後輪を制動輪として選択し、オーバーステア傾向にある際には、旋回外側前輪を制動輪として選択する。出力判定手段は、制御領域にあるか否かを判定するヨーレート偏差の判定しきい値を予め設定するとともに、ヨーレート偏差と上記判定しきい値とを比較し制御領域にあるか否か判定する。上記タイヤ圧影響補正手段により、上記各車輪のタイヤ圧の状態が判断され、前後輪のタイヤ圧を正常範囲の圧力値と比較して上記タイヤ圧が上記正常範囲外となる車輪側とそのタイヤ圧の高低とに基づいて上記正常範囲内となる車輪側の上記目標制動力が補正されると共に、上記正常範囲内となる車輪側を上記制動輪選択手段で選択して制御を実行させる際の上記出力判定手段で予め設定される判定しきい値が補正される。その結果に応じて上記目標制動力算出手段で算出する目標制動力と上記出力判定手段で予め設定する判定しきい値は補正されている。そして、制動信号出力手段は、上記出力判定手段で制御領域にあると判定した際に演算した目標制動力を上記制動輪選択手段で選択した制動輪に加えるようにブレーキ駆動部へ信号出力する。また、請求項４記載の本発明による制動力制御装置は、請求項１又は請求項３記載の制動力制御装置において、上記タイヤ圧影響補正手段は、前輪側のタイヤ圧が上記正常範囲より低いと判断した場合には後輪側の目標制動力を上昇させて補正し、後輪側のタイヤ圧が上記正常範囲より低いと判断した場合には前輪側の目標制動力を上昇させて補正し、前輪側のタイヤ圧が上記正常範囲より高いと判断した場合には後輪側の目標制動力を低下させて補正し、後輪側のタイヤ圧が上記正常範囲より高いと判断した場合には前輪側の目標制動力を低下させて補正することを特徴とするものである。さらに、請求項５記載の本発明による制動力制御装置は、請求項２又は請求項３記載の制動力制御装置において、上記タイヤ圧影響補正手段は、前輪側のタイヤ圧が上記正常範囲より低いと判断した場合には後輪側制動選択時における上記判定閾値を低下させて補正し、後輪側のタイヤ圧が上記正常範囲より低いと判断した場合には前輪側制動選択時における上記判定閾値を低下させて補正し、前輪側のタイヤ圧が上記正常範囲より高いと判断した場合には後輪側制動選択時における上記判定閾値を上昇させて補正し、後輪側のタイヤ圧が上記正常範囲より高いと判断した場合には前輪側制動選択時における上記判定閾値を上昇させて補正することを特徴とするものである。
【００１２】
【発明の実施の形態】
以下、図面に基づいて本発明の実施の形態を説明する。
図１〜図９は本発明の実施の形態１を示し、図１は制動力制御装置の機能ブロック図、図２は制動力制御装置の概略構成を示す説明図、図３は制動力制御による車両の動作の説明図、図４は制動力制御のフローチャート、図５は図４の続きのフローチャート、図６はタイヤ圧状態判定処理選択部で実行されるフローチャート、図７は目標制動力補正係数設定部で設定される目標制動力補正係数の説明図、図８は制動力制御の一例のタイムチャート、図９は判定しきい値の特性の説明図である。
【００１３】
図２において、符号１は車両のブレーキ駆動部を示し、このブレーキ駆動部１には、ドライバにより操作されるブレーキペダル２と接続されたマスターシリンダ３が接続されており、ドライバがブレーキペダル２を操作するとマスターシリンダ３により、上記ブレーキ駆動部１を通じて、４輪（左前輪４fl，右前輪４fr，左後輪４rl，右後輪４rr）の各ホイールシリンダ（左前輪ホイールシリンダ５fl，右前輪ホイールシリンダ５fr，左後輪ホイールシリンダ５rl，右後輪ホイールシリンダ５rr）にブレーキ圧が導入され、これにより４輪にブレーキがかかって制動される。
【００１４】
上記ブレーキ駆動部１は、加圧源、減圧弁、増圧弁等を備えたハイドロリックユニットで、入力信号に応じて、上記各ホイールシリンダ５fl，５fr，５rl，５rrに対して、それぞれ独立にブレーキ圧を導入自在に形成されている。
【００１５】
上記各車輪４fl，４fr，４rl，４rrは、それぞれの車輪速度が車輪速度センサ（左前輪速度センサ６fl，右前輪速度センサ６fr，左後輪速度センサ６rl，右後輪速度センサ６rr）により検出されるようになっており、また、各車輪のタイヤ圧が、タイヤ圧検出手段としてのタイヤ圧センサ（左前輪タイヤ圧センサ７fl，右前輪タイヤ圧センサ７fr，左後輪タイヤ圧センサ７rl，右後輪タイヤ圧センサ７rr）により検出されるようになっている。さらに、ステアリングホイールのステアリングコラムにはハンドル角θを検出するハンドル角センサ８が設けられている。
【００１６】
また、符号１０は、マイクロコンピュータとその周辺回路で形成された制御装置を示し、この制御装置１０には、上記車輪速度センサ６fl，６fr，６rl，６rr、上記各タイヤ圧センサ７fl，７fr，７rl，７rrおよび上記ハンドル角センサ８と、実ヨーレート検出手段としてのヨーレートセンサ９とが接続され、上記ブレーキ駆動部１に駆動信号を出力するようになっている。
【００１７】
上記制御装置１０は、図１に示すように、車速算出部１１，操舵角算出部１２，ヨーレート定常ゲイン算出部１３，目標ヨーレート算出部１４，ヨーレート偏差算出部１５，タイヤ圧状態判定処理選択部１６，目標制動力補正係数設定部１７，目標制動力算出部１８，制動輪選択部１９，出力判定部２０および制動信号出力部２１から主要に構成されている。
【００１８】
上記車速算出部１１は、前記各車輪速度センサ６fl，６fr，６rl，６rrからの車輪速度ω1,ω2,ω3,ω4 の信号が入力され、これらの信号を予め設定しておいた数式で演算して（例えば、上記各車輪速度センサ６fl，６fr，６rl，６rrからの速度信号の平均値を算出して）車速Ｖを求め、上記ヨーレート定常ゲイン算出部１３と上記目標制動力算出部１８に出力するようになっており、上記各車輪速度センサ６fl，６fr，６rl，６rrとこの車速算出部１１とで車速検出手段が形成されている。
【００１９】
また、上記操舵角算出部１２は、前記ハンドル角センサ８からの信号が入力され、ハンドル操舵角θをステアリングギア比Ｎで除して実舵角δf （＝θ／Ｎ）を算出し、上記目標ヨーレート算出部１４と上記目標制動力算出部１８に出力するようになっており、上記ハンドル角センサ８とこの操舵角算出部１２とで操舵角検出手段が形成されている。
【００２０】
さらに、上記ヨーレート定常ゲイン算出部１３は、予め設定しておいた式に基づき、車両の定常円旋回時の実舵角δf に対するヨーレートの値（ヨーレート定常ゲインＧγδｆ（０））を求めるようになっており、算出したヨーレート定常ゲインＧγδｆ（０）は、上記目標ヨーレート算出部１４と上記目標制動力算出部１８に出力される。ここで、ホイールベースをＬ，車両の諸元で決まるスタビリティファクタをＡ0 とすると、ヨーレート定常ゲインＧγδｆ（０）は以下の式で算出される。
Ｇγδｆ（０）＝（１／（１＋Ａ0 ・Ｖ2 ））・（Ｖ／Ｌ）…（１）
また、上記スタビリティファクタＡ0 は、車両質量をｍ，前軸と重心間の距離をＬf ，後軸と重心間の距離をＬr ，フロントタイヤの等価コーナリングパワーをＣＰf ，リアタイヤの等価コーナリングパワーをＣＰr とすると次式で求められる。
0004005669.tif 000002
また、上記目標ヨーレート算出部１４は、上記操舵角算出部１２からの実舵角δf と、上記ヨーレート定常ゲイン算出部１３からのヨーレート定常ゲインＧγδｆ（０）を基に、車両の応答遅れを考慮して目標ヨーレートγ' を算出し、この目標ヨーレートγ' を上記ヨーレート偏差算出部１５に出力するように形成されている。すなわち、目標ヨーレート算出手段は、上記ヨーレート定常ゲイン算出部１３と、この目標ヨーレート算出部１４とから形成されている。目標ヨーレートγ' の算出は、時定数をＴ，ラプラス演算子をｓとして、
γ' ＝（１／（１＋Ｔ・ｓ））・Ｇγδｆ（０）・δf   …（３）
で得られる。尚、上記（３）式は、２次系で表現される車両の応答遅れを１次系に近似した式であり、またＴは時定数で、例えば下式で得られる。
Ｔ＝（ｍ・Ｌf ・Ｖ）／（２・Ｌ・ＣＰr ）        …（４）
さらに、上記ヨーレート偏差算出部１５では、前記ヨーレートセンサ９で検出した実ヨーレートγから、上記目標ヨーレート算出部１４で算出した目標ヨーレートγ' を減算し、ヨーレート偏差Δγ（＝γ−γ' ）を求め、このヨーレート偏差Δγを上記目標制動力算出部１８，制動輪選択部１９および上記出力判定部２０に出力するヨーレート偏差算出手段としてのものである。
【００２１】
上記タイヤ圧状態判定処理選択部１６は、前記各タイヤ圧センサ７fl，７fr，７rl，７rrからのタイヤ圧信号が入力され、後述する図６に示す手順を実行して車両のタイヤ圧状態を判定し、この結果に基づき車両をどのような走行状態の方向に制動力によって補正するか判断して上記目標制動力補正係数設定部１７に出力するようになっている。
【００２２】
上記目標制動力補正係数設定部１７は、上記タイヤ圧状態判定処理選択部１６からの入力信号に基づき、上記目標制動力算出部１８で算出する目標制動力（前輪目標液圧ＢＦ２ｆ，後輪目標液圧ＢＦ２ｒ）を補正する目標制動力補正係数ＧＢを予めメモりしておいたマップ等から選定し、上記目標制動力算出部１８に設定するようになっている。
【００２３】
すなわち、上記タイヤ圧状態判定処理選択部１６と上記目標制動力補正係数設定部１７とでタイヤ圧影響補正手段が形成され、上記タイヤ圧状態判定処理選択部１６と上記目標制動力補正係数設定部１７とにより、具体的には、図７に示すように、以下の補正が行われる。
【００２４】
上記タイヤ圧状態判定処理選択部１６は、前後輪のタイヤ圧が共に正常な値の範囲（例えば、２．５kg/cm2以下で、かつ１．５kg/cm2以上）であれば、全ての目標制動力に対してタイヤ圧補正を加えず、そのままの値（通常制御）として上記目標制動力補正係数設定部１７に信号出力し、この目標制動力補正係数設定部１７は前輪側のタイヤ圧影響補正ゲイン（乗数）ＧＢと後輪側のタイヤ圧影響補正ゲイン（乗数）ＧＢには共に初期値ＧBN（例えば、１）を設定する。
【００２５】
また、上記タイヤ圧状態判定処理選択部１６は、前輪側のタイヤ圧が異常に低くなっていれば（例えば、１．５kg/cm2より低い場合）、後輪側の目標制動力を高く補正してアンダーステア傾向防止制御（アンダーステア傾向防止制御Ｉ）を行うように決定して上記目標制動力補正係数設定部１７に信号出力し、この目標制動力補正係数設定部１７は前輪側の目標制動力補正係数ＧＢには初期値ＧBNを、後輪側の目標制動力補正係数ＧＢには大きなゲインＧBH（＞ＧBN）を設定して目標制動力に対する補正を行う。
【００２６】
さらに、上記タイヤ圧状態判定処理選択部１６は、後輪側のタイヤ圧が異常に低くなっていれば（例えば、１．５kg/cm2より低い場合）、前輪側の目標制動力を高く補正してオーバーステア傾向防止制御（オーバーステア傾向防止制御Ｉ）を行うように決定して上記目標制動力補正係数設定部１７に信号出力し、この目標制動力補正係数設定部１７は前輪側の目標制動力補正係数ＧＢには大きなゲインＧBHを、後輪側の目標制動力補正係数ＧＢには初期値ＧBNを設定して目標制動力に対する補正を行う。
【００２７】
また、上記タイヤ圧状態判定処理選択部１６は、前輪側のタイヤ圧が異常に高くなっていれば（例えば、２．５kg/cm2より高い場合）、後輪側の目標制動力を低く補正してオーバーステア傾向防止制御（オーバーステア傾向防止制御ＩＩ）を行うように決定して上記目標制動力補正係数設定部１７に信号出力し、この目標制動力補正係数設定部１７は前輪側の目標制動力補正係数ＧＢには初期値ＧBNを、後輪側の目標制動力補正係数ＧＢには小さなゲインＧBL（ＧBN＞ＧBL＞０）を設定して目標制動力に対する補正を行う。
【００２８】
さらに、上記タイヤ圧状態判定処理選択部１６は、後輪側のタイヤ圧が異常に高くなっていれば（例えば、２．５kg/cm2より高い場合）、前輪側の目標制動力を低く補正してアンダーステア傾向防止制御（アンダーステア傾向防止制御ＩＩ）を行うように決定して上記目標制動力補正係数設定部１７に信号出力し、この目標制動力補正係数設定部１７は前輪側の目標制動力補正係数ＧＢには小さなゲインＧBLを、後輪側の目標制動力補正係数ＧＢには初期値ＧBNを設定して目標制動力に対する補正を行う。
【００２９】
このように、タイヤ圧による影響が目標制動力に対して反映されるため、制動力制御装置からの制動力により確実に車両の走行安定性を向上させることができるようになっている。
【００３０】
また、上記目標制動力算出部１８は、目標制動力（前輪目標液圧ＢＦ２ｆ，後輪目標液圧ＢＦ２ｒ）を算出し、この目標制動力を前述した目標制動力補正係数ＧＢで補正して上記制動信号出力部２１に出力する目標制動力算出手段としてのもので、前輪理論目標制動力算出部１８ａｆと、後輪理論目標制動力算出部１８ａｒと、前輪目標制動力算出部１８ｆと、後輪目標制動力算出部１８ｒとで構成されている。
【００３１】
上記前輪理論目標制動力算出部１８ａｆでは、実ヨーレートγ、ヨーレート偏差Δγ、実舵角δf 、車速Ｖ、ヨーレート定常ゲインＧγδｆ（０）が入力され、車両諸元を考慮して、前輪の理論目標制動力（前輪理論目標液圧）ＢＦf'が算出される。
0004005669.tif 000003
である。尚、上記（６）式のΔγは、さらに車両の進行方向と前後方向のなす角である横すべり角βを考慮して補正したものを用いても良い。
【００３２】
また、上記後輪理論目標制動力算出部１８ａｒでは、実ヨーレートγ、ヨーレート偏差Δγ、実舵角δf 、車速Ｖ、ヨーレート定常ゲインＧγδｆ（０）が入力され、車両諸元を考慮して、後輪の理論目標制動力（後輪理論目標液圧）ＢＦr'が算出される。
0004005669.tif 000004
ここで、ｄｒはリヤトレッドを示す。
【００３３】
さらに、上記前輪目標制動力算出部１８ｆでは、上記前輪理論目標制動力算出部１８ａｆで算出した前輪理論目標液圧ＢＦf'に、予め車両諸元に基づいて設定したゲイン（大きいゲイン；例えば８．０）Ｇ1 を乗じて前輪目標液圧ＢＦ２ｆを算出する。
ＢＦ２ｆ＝Ｇ1 ・ＢＦf'                …（８）
そして、上記（８）式により求められた前輪目標液圧ＢＦ２ｆは、上記目標制動力補正係数設定部１７による目標制動力補正係数ＧＢでさらに補正され（ＧＢ・ＢＦ２ｆ）、上記制動信号出力部２１に出力されるようになっている。
【００３４】
また、上記後輪目標制動力算出部１８ｒでは、上記後輪理論目標制動力算出部１８ａｒで算出した前輪理論目標液圧ＢＦr'に、予め車両諸元に基づいて設定したゲイン（大きいゲイン；例えば８．０）Ｇ1 と、０よりも大きく１よりも小さいゲインＧ2 （例えば０．１５）とを乗じて後輪目標液圧ＢＦ２ｒを算出する。
ＢＦ２ｒ＝Ｇ1 ・Ｇ2 ・ＢＦr'            …（９）
ここで、上記（９）式のＧ1 ・Ｇ2 の値を小さいゲインとする。
【００３５】
そして、上記（９）式により求められた後輪目標液圧ＢＦ２ｒは、上記目標制動力補正係数設定部１７による目標制動力補正係数ＧＢでさらに補正され（ＧＢ・ＢＦ２ｒ）、上記制動信号出力部２１に出力されるようになっている。
【００３６】
すなわち、上記目標制動力算出部１８は、前輪の制動力を算出するゲインより小さいゲインで後輪の目標制動力を算出し、後輪の制動力を低減することにより、低μ路等で後輪の制動力によって後輪が横すべりを起こし安定性を失うことが防止されるようになっている。また、前輪に制動力が加えられる場合と、後輪に制動力が加えられる場合の、車両の回頭モーメントが略同じくなるため、運転者の意思通りの自然な車両挙動で制御が行なわれる。
【００３７】
また、上記制動輪選択部１９は、実ヨーレートγとヨーレート偏差Δγの符号の組み合わせから車両の制動輪を選択する制動輪選択手段としてのもので、以下の組み合わせが設定されている。尚、実ヨーレートγと目標ヨーレートγ' の符号は共に、車両の左旋回方向を＋、右旋回方向を−で与えられる。また、車両の直進状態を判定するため、εを予め実験あるいは計算等から求めた略０に近い正の数として設定し、車両の実ヨーレートγが目標ヨーレートγ' に対し略一致している状態を判定するため、εΔγを予め実験あるいは計算等から求めた略０に近い正の数として設定し、
（ケース１）．γ＞ε，Δγ＜−εΔγ…左旋回状態で目標ヨーレートγ' に対しアンダーステア傾向のとき…左後輪制動
（ケース２）．γ＞ε，Δγ＞εΔγ…左旋回状態で目標ヨーレートγ' に対しオーバーステア傾向のとき…右前輪制動
（ケース３）．γ＜ε，Δγ＜−εΔγ…右旋回状態で目標ヨーレートγ' に対しオーバーステア傾向のとき…左前輪制動
（ケース４）．γ＜ε，Δγ＞εΔγ…右旋回状態で目標ヨーレートγ' に対しアンダーステア傾向のとき…右後輪制動
（ケース５）．｜γ｜≦ε…略直進状態、あるいは、｜Δγ｜≦εΔγ…車両の実ヨーレートγが目標ヨーレートγ' に略一致した状態のとき、制動輪の選択はせず非制動とする（図３）。
【００３８】
すなわち、（ケース５）の｜γ｜≦εで判定される略直進状態のときと、｜Δγ｜≦εΔγで判定される車両の実ヨーレートγが目標ヨーレートγ' に略一致した状態のとき以外の実ヨーレートγとヨーレート偏差Δγの範囲において、実ヨーレートγとヨーレート偏差Δγの符号が異なる場合は内側後輪を制動輪として選択するとともに、実ヨーレートγとヨーレート偏差Δγの符号が同じ場合は外側前輪を制動輪として選択するようになっている。そして、この制動輪選択部１９での結果は、上記制動信号出力部２１に出力される。
【００３９】
また、上記出力判定部２０は、ヨーレート偏差Δγが制御領域にあるか否かを判定する判定しきい値εΔを後述の如く設定し、上記判定しきい値εΔとヨーレート偏差Δγとを比較し制御領域にあるか否か判定し上記制動信号出力部２１に出力する出力判定手段として形成されている。
【００４０】
上記判定しきい値εΔには、通常は第一のしきい値εΔM が設定されており、車両の挙動がアンダーステア傾向からオーバーステア傾向に移行してからは設定時間（予めタイマにセットしておいた時間）、或いは、この時間以内であってもオーバーステア傾向になってから、ヨーレート偏差または実ヨーレートのどちらかの値が略ゼロになるまで、第二のしきい値εΔS を上記判定しきい値εΔとして設定するものである。ここで、上記第一のしきい値εΔM 、上記第二のしきい値εΔS は、共に、予め実験あるいは計算等から求めた正の数であり、ヨーレート偏差Δγを判定する各しきい値の大きさは、εΔM ＞εΔS ＞εΔγである。
【００４１】
尚、上記第一のしきい値εΔM 、上記第二のしきい値εΔS は、図９に示すように、少なくともどちらかの値を車速に応じてメモリテーブル等に可変に設定しておけば、車速に応じてより適切な値を上記判定しきい値εΔとして設定することが可能となる。すなわち、車速が小さい場合は、大きい場合に比較して、車両の挙動が不安定となっても運転者が簡単に修正することができ制御の必要がないため、非制御領域を大きな範囲に設定できる。このため、図９（ａ）に示すように、上記第一のしきい値εΔM と上記第二のしきい値εΔS を、共に速度が高くなるに従い小さく設定しておいても良いし、図９（ｂ）に示すように、上記第二のしきい値εΔS を一定とし、上記第一のしきい値εΔM を速度が高くなるに従い小さく設定しておいても良く、また、図９（ｃ）に示すように、上記第一のしきい値εΔM を一定とし、上記第二のしきい値εΔS を速度が高くなるに従い小さく設定しておいても良い。
【００４２】
上記制動信号出力部２１は、上記出力判定部２０からの制御領域であるとの判定信号で、前記ブレーキ駆動部１に対して、上記制動輪選択部１９で選択した制動輪へ、上記目標制動力算出部１８で算出された前輪に対する目標液圧ＧＢ・ＢＦ２ｆあるいは後輪に対する目標液圧ＧＢ・ＢＦ２ｒを加えるように信号出力する制動信号出力手段としてのものである。
【００４３】
次に、本発明の実施の形態１の制動力制御を、図４、図５のフローチャートで説明する。この制動力制御プログラムは、例えば、車両が走行中、所定時間（例えば１０ｍｓ）毎に実行され、プログラムがスタートすると、ステップ（以下Ｓと略称）１０１で、ハンドル角センサ８からハンドル操舵角θ，各車輪速度センサ６fl，６fr，６rl，６rrから車輪速度ω1,ω2,ω3,ω4 ，ヨーレートセンサ９から実ヨーレートγが読み込まれ、Ｓ１０２に進む。
【００４４】
上記Ｓ１０２では、操舵角算出部１２で上記ハンドル操舵角θから実舵角δf （＝θ／Ｎ）が算出され、車速検出部１１で上記各車輪速度ω1,ω2,ω3,ω4 から車速Ｖが算出され、さらに、ヨーレート定常ゲイン算出部１３で前記（１）式によりヨーレート定常ゲインＧγδｆ（０）が演算される。
【００４５】
次いで、Ｓ１０３に進み、目標ヨーレート算出部１４で前記（３）式により目標ヨーレートγ' が演算され、Ｓ１０４に進み、ヨーレート偏差算出部１５でヨーレート偏差Δγ（＝γ−γ' ）が演算される。
【００４６】
次に、Ｓ１０５に進み、目標制動力算出部１８の前輪理論目標制動力算出部１８ａｆと後輪理論目標制動力算出部１８ａｒで、前記（５），（７）式に基づき、前輪理論目標液圧ＢＦf'と後輪理論目標液圧ＢＦr'とが演算され、Ｓ１０６に進んで、目標制動力算出部１８の前輪目標制動力算出部１８ｆと後輪目標制動力算出部１８ｒで、前記（８），（９）式に基づき、前輪目標液圧ＢＦ２ｆ，後輪目標液圧ＢＦ２ｒが演算され、Ｓ１０７へ進む。
【００４７】
Ｓ１０７に進むと、目標制動力補正係数設定部１７により設定された目標制動力補正係数ＧＢで上記目標液圧ＢＦ２ｆ，ＢＦ２ｒに対する補正が行われ（前輪側の最終的な目標液圧ＧＢ・ＢＦ２ｆ，後輪側の最終的な目標液圧ＧＢ・ＢＦ２ｒ）、Ｓ１０８へ進む。
【００４８】
以下、Ｓ１０８〜Ｓ１１８は、制動輪選択部１９で行なわれる手順で、まず、Ｓ１０８では、実ヨーレートγがεよりも大きいか否か、すなわち、ある程度大きな左旋回状態か否かの判定が行なわれ、実ヨーレートγがε以下の場合には、Ｓ１０９に進み、実ヨーレートγが−εよりも小さいか否か、すなわち、ある程度大きな右旋回状態か否かの判定が行なわれる。このＳ１０９で、ある程度大きな右旋回状態ではないと判定される実ヨーレートγの範囲（ε≧γ≧−ε）では、運動状態が略直進運動状態であるのでＳ１１８に進み、制動輪の選択は行なわれず非制動となる。尚、上記Ｓ１０８で、γ＞εで、ある程度大きな左旋回状態と判定されるとＳ１１０に進み、ヨーレート偏差Δγが｜Δγ｜≦εΔγで０に近く、実ヨーレートγが目標ヨーレートγ' に略一致しているか否かの判定が行なわれる。
【００４９】
そして、上記Ｓ１１０で、｜Δγ｜≦εΔγであり、実ヨーレートγが目標ヨーレートγ' に略一致していると判定されるとＳ１１８に進み、これ以外の場合（アンダーステア傾向あるいはオーバーステア傾向の場合）はＳ１１１に進む。
【００５０】
このＳ１１１は、アンダーステア傾向かオーバーステア傾向であるかを判定するステップで、Δγ＜−εΔγかΔγ＞εΔγかの判定が行なわれ、Δγ＜−εΔγでありヨーレート偏差Δγの符号が、実ヨーレートγの符号と異なる負の場合は、目標ヨーレートγ' に対してアンダーステア傾向と判定してＳ１１２に進み、Δγ＞εΔγでありヨーレート偏差Δγの符号が、実ヨーレートγの符号と同じ正の場合は、目標ヨーレートγ' に対してオーバーステア傾向と判定してＳ１１３に進む。
【００５１】
上記Ｓ１１２に進むと、左後輪４rlを上記Ｓ１０７で求めた後輪に対する目標液圧ＧＢ・ＢＦ２ｒで制動する制動輪として選択する（左後輪液圧ＢＲＬ＝ＧＢ・ＢＦ２ｒ）。
【００５２】
また、上記Ｓ１１３に進むと、右前輪４frを上記Ｓ１０７で求めた前輪に対する目標液圧ＧＢ・ＢＦ２ｆで制動する制動輪として選択する（右前輪液圧ＢＦＲ＝ＧＢ・ＢＦ２ｆ）。
【００５３】
一方、上記Ｓ１０９で、γ＜−εで、ある程度大きな右旋回状態と判定されるとＳ１１４に進み、ヨーレート偏差Δγが｜Δγ｜≦εΔγで０に近く、実ヨーレートγが目標ヨーレートγ' に略一致しているか否かの判定が行なわれる。
【００５４】
そして、上記Ｓ１１４で、｜Δγ｜≦εΔγであり、実ヨーレートγが目標ヨーレートγ' に略一致していると判定されるとＳ１１８に進み、これ以外の場合（アンダーステア傾向あるいはオーバーステア傾向の場合）はＳ１１５に進む。
【００５５】
このＳ１１５は、アンダーステア傾向かオーバーステア傾向であるかを判定するステップで、Δγ＞εΔγかΔγ＜−εΔγかの判定が行なわれ、Δγ＞εΔγでありヨーレート偏差Δγの符号が、実ヨーレートγの符号と異なる正の場合は、目標ヨーレートγ' に対してアンダーステア傾向と判定してＳ１１６に進み、Δγ＜−εΔγでありヨーレート偏差Δγの符号が、実ヨーレートγの符号と同じ負の場合は、目標ヨーレートγ' に対してオーバーステア傾向と判定してＳ１１７に進む。
【００５６】
上記Ｓ１１６に進むと、右後輪４rrを上記Ｓ１０７で求めた後輪に対する目標液圧ＧＢ・ＢＦ２ｒで制動する制動輪として選択する（右後輪液圧ＢＲＲ＝ＧＢ・ＢＦ２ｒ）。
【００５７】
また、上記Ｓ１１７に進むと、左前輪４flを上記Ｓ１０７で求めた前輪に対する目標液圧ＧＢ・ＢＦ２ｆで制動する制動輪として選択する（左前輪液圧ＢＦＬ＝ＧＢ・ＢＦ２ｆ）。
【００５８】
さらに、上記Ｓ１０９，Ｓ１１０あるいは上記Ｓ１１４からＳ１１８に進むと制動輪の選択は行なわれず非制動となる。
【００５９】
そして、上記Ｓ１１２あるいはＳ１１６で、アンダーステア傾向での処理（制動輪の選択と液圧の設定）を行なった場合は、Ｓ１１９に進み、上記Ｓ１１３あるいはＳ１１７で、オーバーステア傾向での処理（制動輪の選択と液圧の設定）を行なった場合は、Ｓ１２０に進み、上記Ｓ１１８からはＳ１２１に進む。
【００６０】
上記Ｓ１１２あるいはＳ１１６で、アンダーステア傾向での処理（制動輪の選択と液圧の設定）を行なって、Ｓ１１９に進むと、アンダーステア状態通過フラグＦUSをセット（ＦUS←１）して、Ｓ１２２に進み、判定しきい値εΔとして第一のしきい値εΔM を設定しＳ１２６に進む。このアンダーステア状態通過フラグＦUSは、アンダーステア傾向の運転を行なったことを示すフラグで、オーバーステア傾向に移行した後に所定時間が経過、或いは、オーバーステア傾向からニュートラルステア傾向になったときにクリア（ＦUS←０）されるフラグである。
【００６１】
また、上記Ｓ１１３あるいはＳ１１７で、オーバーステア傾向での処理（制動輪の選択と液圧の設定）を行なって、Ｓ１２０に進むと、上記アンダーステア状態通過フラグＦUSがセット（ＦUS＝１）されているか否かを判定し、アンダーステア状態通過フラグＦUSがセットされ、前にアンダーステア傾向の運転を行なったと判定した場合はＳ１２３に進み、アンダーステア状態通過フラグＦUSがクリアされた状態の場合はＳ１２６へジャンプする。一般に、路面摩擦係数が低いとき、車両はアンダーステア傾向の状態となるが、本制動力制御により、アンダーステア傾向からオーバーステア傾向に移行した場合は、アンダーステア状態通過フラグＦUSがセットされた状態となっており、上記Ｓ１２０により、Ｓ１２３に進められる。しかし、何等かの原因によってアンダーステア傾向を経ずオーバーステア傾向となった場合は、Ｓ１２３〜Ｓ１２５の手順を行なわずＳ１２６へジャンプする。
【００６２】
上記Ｓ１２０で、ＦUS＝１と判定されＳ１２３に進むと、タイマスタートフラグＦTRがクリア（ＦTR＝０）されているか否かの判定が行なわれる。上記タイマスタートフラグＦTRは、上記しきい値設定タイマがスタートされた際にセット（ＦTR←１）され、上記しきい値設定タイマがストップするとクリア（ＦTR←０）されるフラグである。
【００６３】
上記Ｓ１２３で、タイマスタートフラグＦTRがクリア（ＦTR＝０）されており、上記しきい値設定タイマがストップしていると判定すると、このしきい値設定タイマをスタートさせるべくＳ１２４に進み、しきい値設定タイマをスタートさせるとともに、タイマスタートフラグＦTRをセットして、Ｓ１２５に進み、判定しきい値εΔとして第二のしきい値εΔS を設定し、Ｓ１２６へ進む。
【００６４】
また、上記Ｓ１２３で、タイマスタートフラグＦTRがセット（ＦTR＝１）されており、上記しきい値設定タイマが作動していると判定すると、Ｓ１２６へジャンプする。
【００６５】
上記Ｓ１２２、上記Ｓ１２０の判定でＦUS＝０、上記Ｓ１２３の判定でＦTR＝１、上記Ｓ１２５のいずれかからＳ１２６へ進むと、ヨーレート偏差Δγと判定しきい値εΔとの比較（絶対値の比較）が行なわれ、ヨーレート偏差Δγが制御領域にある場合（｜Δγ｜＞εΔ）は、Ｓ１２７に進み、制動信号出力部２１からブレーキ駆動部１に対して信号の出力が行なわれる。すなわち、上記Ｓ１２６で制御領域と判定した場合、前記Ｓ１１２から上記Ｓ１１９を経た場合は、上記ブレーキ駆動部１はホイールシリンダ５rlに対し、液圧ＢＲＬ＝ＧＢ・ＢＦ２ｒに対応する制動力を発生させ、前記Ｓ１１６から上記Ｓ１１９を経た場合は、上記ブレーキ駆動部１はホイールシリンダ５rrに対し、液圧ＢＲＲ＝ＧＢ・ＢＦ２ｒに対応する制動力を発生させ、前記Ｓ１１３から上記Ｓ１２０を経た場合は、上記ブレーキ駆動部１はホイールシリンダ５frに対し、液圧ＢＦＲ＝ＧＢ・ＢＦ２ｆに対応する制動力を発生させ、前記Ｓ１１７から上記Ｓ１２０を経た場合は、上記ブレーキ駆動部１はホイールシリンダ５flに対し、液圧ＢＦＬ＝ＧＢ・ＢＦ２ｆに対応する制動力を発生させる。
【００６６】
一方、上記Ｓ１２６でヨーレート偏差Δγが非制御領域にある場合（｜Δγ｜≦εΔ）は、Ｓ１２８に進む。
【００６７】
また、上記Ｓ１１８からＳ１２１に進むと、車両が略直進状態あるいは実ヨーレートγが目標ヨーレートγ' に略一致していることを示す直進・定常走行状態フラグＦNSがセット（ＦNS←１）され、Ｓ１２８に進む。
【００６８】
そして、上記Ｓ１２１あるいは上記Ｓ１２６から上記Ｓ１２８に進むと、制動信号の出力は行なわれず、設定液圧もクリアされる。すなわち、上記Ｓ１２７あるいは上記Ｓ１２８は、制動信号出力部２１で行なわれる処理となっている。
【００６９】
その後、Ｓ１２９に進むと、上記タイマスタートフラグＦTRがセットされているか否か（しきい値設定タイマが作動しているか否か）の判定が行なわれる。
【００７０】
上記Ｓ１２９で、上記タイマスタートフラグＦTRがクリアされ、上記しきい値設定タイマが作動していない場合にはＳ１３５へ進み、直進・定常走行状態フラグＦNSをクリアしてプログラムを抜け、上記タイマスタートフラグＦTRがセットされ、上記しきい値設定タイマが作動している場合にはＳ１３０に進んで、一定時間経過したか否か判定する。
【００７１】
上記Ｓ１３０で、一定時間経過したと判定した場合、Ｓ１３２に進み、アンダーステア状態通過フラグＦUSをクリアし、Ｓ１３３で判定しきい値εΔとして第一のしきい値εΔM を設定し、Ｓ１３４で上記しきい値設定タイマをストップし、タイマスタートフラグＦTRをクリアし、Ｓ１３５で直進・定常走行状態フラグＦNSをクリアしてプログラムを抜ける。
【００７２】
また、上記Ｓ１３０で、一定時間経過していないと判定した場合、Ｓ１３１に進み、直進・定常走行状態フラグＦNSがセットされている（ＦNS＝１）か否かの判定を行なう。
【００７３】
そして、上記直進・定常走行状態フラグＦNSがクリアされている（ＦNS＝０）場合はプログラムを抜け、セットされている場合は、Ｓ１３２に進み、アンダーステア状態通過フラグＦUSをクリアし、Ｓ１３３で判定しきい値εΔとして第一のしきい値εΔM を設定し、Ｓ１３４で上記しきい値設定タイマをストップし、タイマスタートフラグＦTRをクリアし、Ｓ１３５で直進・定常走行状態フラグＦNSをクリアしてプログラムを抜ける。
【００７４】
すなわち、しきい値設定タイマがタイムアップする前であっても、直進・定常走行状態となった場合は、判定しきい値εΔとして第一のしきい値εΔM を設定するようになっている。
【００７５】
次に、タイヤ圧状態判定処理選択部１６で行なわれる手順を図６のフローチャートで説明する。まず、Ｓ２０１で、各タイヤ圧センサ７fl，７fr，７rl，７rrから各車輪のタイヤ圧を読み込み、Ｓ２０２に進み、全タイヤ圧が正常か否か判定する。ここで正常なタイヤ圧の範囲とは、例えば、２．５kg/cm2以下で、かつ１．５kg/cm2以上の範囲で、全車輪のタイヤ圧がこの範囲内にあるとき、Ｓ２０３に進んで、タイヤ圧補正を加えず、そのままの値（通常制御）とし、目標制動力補正係数設定部１７に信号出力し、この目標制動力補正係数設定部１７で前輪側のタイヤ圧影響補正ゲイン（乗数）ＧＢと後輪側のタイヤ圧影響補正ゲイン（乗数）ＧＢを共に初期値ＧBN（例えば、１）に設定させる。
【００７６】
上記Ｓ２０２で、全タイヤ圧が正常と判定されない場合、Ｓ２０４に進み、タイヤ圧が低い側に異常（例えば、１．５kg/cm2より低い場合）なのか否か判定し、低い側に異常なのであればＳ２０５に進んで、前輪側が異常なのか後輪側が異常なのか判定する。
【００７７】
そして、前輪側が異常なのであれば、Ｓ２０６に進み、後輪側の目標制動力を高く補正してアンダーステア傾向防止制御（アンダーステア傾向防止制御Ｉ）を行うように決定して上記目標制動力補正係数設定部１７に信号出力し、この目標制動力補正係数設定部１７で前輪側の目標制動力補正係数ＧＢには初期値ＧBNを、後輪側の目標制動力補正係数ＧＢには大きなゲインＧBH（＞ＧBN）を設定させて目標制動力に対する補正を行うようにする。
【００７８】
また、後輪側が異常なのであれば、Ｓ２０７に進み、前輪側の目標制動力を高く補正してオーバーステア傾向防止制御（オーバーステア傾向防止制御Ｉ）を行うように決定して上記目標制動力補正係数設定部１７に信号出力し、この目標制動力補正係数設定部１７で前輪側の目標制動力補正係数ＧＢには大きなゲインＧBHを、後輪側の目標制動力補正係数ＧＢには初期値ＧBNを設定させて目標制動力に対する補正を行うようにする。
【００７９】
一方、タイヤ圧が低い側に異常ではなく高い側に異常の場合（例えば、２．５kg/cm2より高い場合）は、上記Ｓ２０４から、Ｓ２０８に進み、前輪側が異常なのか後輪側が異常なのか判定する。
【００８０】
そして、前輪側が異常なのであれば、Ｓ２０９に進み、後輪側の目標制動力を低く補正してオーバーステア傾向防止制御（オーバーステア傾向防止制御ＩＩ）を行うように決定して上記目標制動力補正係数設定部１７に信号出力し、この目標制動力補正係数設定部１７で前輪側の目標制動力補正係数ＧＢには初期値ＧBNを、後輪側の目標制動力補正係数ＧＢには小さなゲインＧBL（＜ＧBN）を設定させて目標制動力に対する補正を行うようにする。
【００８１】
また、後輪側のタイヤ圧が異常なのであれば、Ｓ２１０に進み、前輪側の目標制動力を低く補正してアンダーステア傾向防止制御（アンダーステア傾向防止制御ＩＩ）を行うように決定して上記目標制動力補正係数設定部１７に信号出力し、この目標制動力補正係数設定部１７で前輪側の目標制動力補正係数ＧＢには小さなゲインＧBLを、後輪側の目標制動力補正係数ＧＢには初期値ＧBNを設定させて目標制動力に対する補正を行うようにする。
【００８２】
次に、図４、図５のフローチャートで行なわれる制御の一例を図８に示す。この図は、ｔ0 から直進していた車両が、ｔ1 で左旋回する場合を例に示すもので、図８（ａ）は目標ヨーレートγ' と実ヨーレートγの変化を、図８（ｂ）はヨーレート偏差Δγの変化を、図８（ｃ）は制御での直進・定常走行状態フラグＦNSの設定を、図８（ｄ）は制御でのタイマスタートフラグＦTRの設定を、図８（ｅ）は制御でのアンダーステア状態通過フラグＦUSの設定を、図８（ｆ）は制動信号出力部２０からの制動信号出力のＯＮ−ＯＦＦをそれぞれ示す。
【００８３】
ｔ1 以降、次第に大きくなる目標ヨーレートγ' に追従して実ヨーレートγも大きくなるが、実ヨーレートγと目標ヨーレートγ' との差は次第に大きくなり、実ヨーレートγからの目標ヨーレートγ' の差、すなわち、ヨーレート偏差Δγは−の方向へ絶対値｜Δγ｜が大きくなっていく。
【００８４】
ヨーレート偏差Δγの絶対値｜Δγ｜は、ｔ2 からは、実ヨーレートγが目標ヨーレートγ' に略一致した状態を判別するしきい値εΔγより大きくなり、目標ヨーレートγ' に対しアンダーステア傾向となり、アンダーステア状態通過フラグＦUSがセットされる。また、ｔ2 まではセットされていた直進・定常走行状態フラグＦNSが、ｔ2 からはクリアされる。さらに、非制御領域の判定しきい値εΔ（図８（ｂ）の斜線の範囲）として第一のしきい値εΔM が設定されており、ヨーレート偏差Δγの絶対値｜Δγ｜が、この判定しきい値εΔより大きくなるｔ3 になるまでは、制動信号の出力は行なわれない。
【００８５】
そして、ｔ3 以降、再びヨーレート偏差Δγの絶対値｜Δγ｜が、この判定しきい値εΔより小さくなるｔ4 になるまでは、制動信号の出力が行なわれる。この制動信号の出力は、γ＞ε（正の符号、左旋回）、Δγ＜−εΔγ（負の符号、アンダーステア傾向）で、図３の（ケース１）の場合であり、このケース１において、左後輪４rlに制動力を加え矢印のモーメントを加えて補正し、ドリフトアウトを排除するのである。尚、この状態では、例え、上記左後輪４rlに制動をかけすぎて、この左後輪４rlがロック傾向を示し、横力を失ってしまうときでも車両はオーバーステア方向になり、本来の制御則と同じ方向（矢印方向）のヨーレートを発生できる。
【００８６】
実ヨーレートγが、目標ヨーレートγ' に近付き、ｔ4 〜ｔ5 の間では、アンダーステア傾向ではあるが、ヨーレート偏差Δγの絶対値｜Δγ｜が、判定しきい値εΔより小さく非制御領域となるため、制動信号の出力は行なわれない。また、ｔ5 〜ｔ6 の間では、ヨーレート偏差Δγの絶対値｜Δγ｜は、しきい値εΔγより小さくなり、実ヨーレートγが目標ヨーレートγ' に略一致した状態となり、直進・定常走行状態フラグＦNSがセットされる。
【００８７】
そして、ヨーレート偏差Δγは＋の方向へ絶対値｜Δγ｜が大きくなり、ｔ6 を経過し、目標ヨーレートγ' に対しオーバーステア傾向となると、直進・定常走行状態フラグＦNSはセットされず、タイマスタートフラグＦTRがセットされてしきい値設定タイマが動作され、また、判定しきい値εΔとして上記第一のしきい値εΔM より絶対値の小さい第二のしきい値εΔS が設定される。
【００８８】
その後、ｔ7 までは、ヨーレート偏差Δγの絶対値｜Δγ｜が、この判定しきい値εΔ以下の値であるため、制動信号の出力は行なわれず、ｔ7 の後、制動信号の出力が行なわれる。この制動信号の出力は、γ＞ε（正の符号、左旋回）、Δγ＞εΔγ（正の符号、オーバーステア傾向）で、図３の（ケース２）の場合であり、このケース２において、右前輪４frに制動力を加え矢印のモーメントを加えて補正し、スピンを排除するのである。この状態では、例え上記右前輪４frに制動をかけすぎて、この右前輪４frがロック傾向を示し、横力を失ってしまうときでも車両はアンダーステア方向になり、本来の制御則と同じ方向（矢印方向）のヨーレートを発生できる。
【００８９】
そして、ｔ8 から、ヨーレート偏差Δγの絶対値｜Δγ｜は、判定しきい値εΔより小さく非制御領域となり、しきい値設定タイマがタイムアップする前に、ｔ9 から実ヨーレートγが目標ヨーレートγ' に略一致した状態となる。
【００９０】
このため、ｔ9 になると、直進・定常走行状態フラグＦNSがセットされ、アンダーステア状態通過フラグＦUSがクリアされ、しきい値設定タイマがストップされてタイマスタートフラグＦTRがクリアされる。また、判定しきい値εΔとして第一のしきい値εΔM が設定される。
【００９１】
その後、ｔ10〜ｔ11の間では、再びヨーレート偏差Δγの絶対値｜Δγ｜は、ｔ10からは、しきい値εΔγより大きくなり、直進・定常走行状態フラグＦNSがクリアされ、目標ヨーレートγ' に対しアンダーステア傾向となり、アンダーステア状態通過フラグＦUSがセットされる。
【００９２】
そして、ｔ11からは、ヨーレート偏差Δγの絶対値｜Δγ｜は、しきい値εΔγより小さくなり、実ヨーレートγが目標ヨーレートγ' に略一致した状態となる（直進・定常走行状態フラグＦNSもセットされる）。ここで、アンダーステア状態通過フラグＦUSはセットされたままの状態となるが、一般に、車両がオーバーステア傾向となる前には、アンダーステア傾向の状態を経るため、問題とはならない。
【００９３】
尚、ｔ8 以降は、ヨーレート偏差Δγの絶対値｜Δγ｜は、判定しきい値εΔより小さく非制御領域となるため、制動信号の出力は行なわれない。
【００９４】
すなわち、上記出力判定部２０では、アンダーステア傾向の後にオーバーステア傾向になったときから、設定時間、或いは、設定時間経過していなくてもオーバーステア傾向での制御が終了するときまで、判定しきい値εΔとして、第一のしきい値εΔM よりその絶対値の小さい第二のしきい値εΔS を設定するようにしているため、アンダーステア傾向の後にオーバーステア傾向となった際の制御の開始が速くなる（図８中の２点鎖線で示すように、従来制御では、アンダーステア傾向の後にオーバステア傾向となった際の制御の開始はｔ7'である）。このため、実ヨーレートγと目標ヨーレートγ' との差が、オーバーステア傾向になってから大きくならず、また、実ヨーレートを目標ヨーレートγ' に速く収束させることができ、運転者に違和感を与えることも少なく、滑らかに制御を行なうことが可能になっている。また、アンダーステア傾向からオーバーステア傾向に移行する際、後輪による制動力制御を行なうアンダーステア傾向では非制御領域を大きく設定し、前輪による制動力制御を行なうオーバーステア傾向では非制御領域を小さく設定することになるため、後輪による制動力制御が抑えられる。さらに、判定しきい値εΔとして、第二のしきい値εΔS から第一のしきい値εΔM への復帰も、タイマとオーバーステア傾向での制御終了の検出により確実に行なわれる。また、実ヨーレートγにより車両の旋回方向を判定し、実ヨーレートγとヨーレート偏差Δγにより走行状態が、目標ヨーレートγ' に対してアンダーステア傾向かオーバーステア傾向かを確実に判定して、４輪の中で制動させる最も適切な車輪を選定することにより、確実にドリフトアウトやスピンが防止できる。すなわち、スピン傾向であるにもかかわらず、後輪に制動力を加えてスピンを増長したり、ドリフトアウト傾向であるにもかかわらず、前輪に制動力を加えてドリフトアウトを増長したりすることが防止できる。また、カウンタステア時においても、スピンを増長する方向の車輪に制動力を与えてしまうことも防止できる。また、タイヤ圧による影響が目標制動力に対して反映されるため、制動力制御装置からの制動力により確実に車両の走行安定性を向上させることができる。
【００９５】
次に、図１０〜図１３は本発明の実施の形態２を示し、図１０は制動力制御装置の機能ブロック図、図１１は制動力制御のフローチャート、図１２は図１１の続きのフローチャート、図１３はしきい値補正係数で設定される判定しきい値補正係数の説明図である。尚、本発明の実施の形態２は、タイヤ圧による影響を目標制動力にではなく判定しきい値に反映させるようにして、制動力制御装置からの制動力により確実に車両の走行安定性を向上させるようにしたものである。
【００９６】
本発明の実施の形態２の制御装置２５は、図１０に示すように、車速算出部１１，操舵角算出部１２，ヨーレート定常ゲイン算出部１３，目標ヨーレート算出部１４，ヨーレート偏差算出部１５，タイヤ圧状態判定処理選択部１６，制動輪選択部１９，制動信号出力部２１，目標制動力算出部２６，出力判定部２７およびしきい値補正係数設定部２８から主要に構成されている。
【００９７】
上記目標制動力算出部２６は、目標制動力（前輪目標液圧ＢＦ２ｆ，後輪目標液圧ＢＦ２ｒ）を算出し、この目標制動力を上記制動信号出力部２１に出力する目標制動力算出手段としてのもので、前輪理論目標制動力算出部１８ａｆと、後輪理論目標制動力算出部１８ａｒと、前輪目標制動力算出部２６ｆと、後輪目標制動力算出部２６ｒとで構成されている。すなわち、前記発明の実施の形態１における目標制動力算出部１８では、算出した目標制動力（前輪目標液圧ＢＦ２ｆ，後輪目標液圧ＢＦ２ｒ）をさらに目標制動力補正係数ＧＢで補正するようになっているが、本発明の実施の形態２ではこの補正を行わない。
【００９８】
このため、上記前輪目標制動力算出部２６ｆでは、上記前輪理論目標制動力算出部１８ａｆで算出した前輪理論目標液圧ＢＦf'に、予め車両諸元に基づいて設定したゲイン（大きいゲイン；例えば８．０）Ｇ1 を乗じて前輪目標液圧ＢＦ２ｆが算出（（８）式）され、この前輪目標液圧ＢＦ２ｆが、上記制動信号出力部２１に出力されるようになっている。
【００９９】
また、上記後輪目標制動力算出部２６ｒでは、上記後輪理論目標制動力算部１８ａｒで算出した前輪理論目標液圧ＢＦr'に、予め車両諸元に基づいて設定したゲイン（大きいゲイン；例えば８．０）Ｇ1 と、０よりも大きく１よりも小さいゲインＧ2 （例えば０．１５）とを乗じて後輪目標液圧ＢＦ２ｒが算出（（９）式）され、この後輪目標液圧ＢＦ２ｒが、上記制動信号出力部２１に出力されるようになっている。
【０１００】
上記出力判定部２７は、ヨーレート偏差Δγが制御領域にあるか否かを判定する判定しきい値εΔを前記発明の実施の形態１における出力判定部２０と同様に設定するとともに、さらに上記しきい値補正係数設定部２７による補正を加えて設定し（ＧεΔ・εΔ：ＧεΔは判定しきい値補正係数）、補正された上記判定しきい値ＧεΔ・εΔとヨーレート偏差Δγとを比較し制御領域にあるか否か判定し上記制動信号出力部２１に出力する出力判定手段として形成されている。
【０１０１】
上記しきい値補正係数設定部２８は、上記タイヤ圧状態判定処理選択部１６からの入力信号と上記制動輪選択部１９からの入力信号に基づき、上記出力判定部２７で予め設定する判定しきい値εΔを補正する判定しきい値補正係数ＧεΔを予めメモりしておいたマップ等から選定し、上記出力判定部２７に設定するようになっている。
【０１０２】
すなわち、上記タイヤ圧状態判定処理選択部１６と上記しきい値補正係数設定部２８とでタイヤ圧影響補正手段が形成され、上記タイヤ圧状態判定処理選択部１６と上記しきい値補正係数設定部２８とにより、具体的には、図１３に示すように、以下の補正が行われる。
【０１０３】
上記タイヤ圧状態判定処理選択部１６は、前後輪のタイヤ圧が共に正常な値の範囲（例えば、２．５kg/cm2以下で、かつ１．５kg/cm2以上）であれば、判定しきい値εΔに対してタイヤ圧補正を加えず、そのままの値（通常制御）として上記しきい値補正係数設定部２８に信号出力し、このしきい値補正係数設定部２８は上記制動輪選択部１９からいかなる信号入力があっても判定しきい値補正係数ＧεΔには初期値ＧεΔＮ（例えば、１）を設定する。
【０１０４】
また、上記タイヤ圧状態判定処理選択部１６は、前輪側のタイヤ圧が異常に低くなっていれば（例えば、１．５kg/cm2より低い場合）、上記制動輪選択部１９が後輪側を制動輪として選択して行うアンダーステア傾向防止制御をできるだけ長く、かつ早く行えるように判定しきい値を低く補正するように決定（アンダーステア傾向防止制御Ｉ）して上記しきい値補正係数設定部２８に信号出力し、このしきい値補正係数設定部２８は上記制動輪選択部１９が後輪側を制動輪として選択した際には判定しきい値補正係数ＧεΔに低いゲインＧεΔＬ（ＧεΔＮ＞ＧεΔＬ＞０）を、上記制動輪選択部１９が前輪側を制動輪として選択した際には判定しきい値補正係数ＧεΔに初期値ＧεΔＮを設定して判定しきい値εΔを補正する。
【０１０５】
さらに、上記タイヤ圧状態判定処理選択部１６は、後輪側のタイヤ圧が異常に低くなっていれば（例えば、１．５kg/cm2より低い場合）、上記制動輪選択部１９が前輪側を制動輪として選択して行うオーバーステア傾向防止制御をできるだけ長く、かつ早く行えるように判定しきい値を低く補正するように決定（オーバーステア傾向防止制御Ｉ）して上記しきい値補正係数設定部２８に信号出力し、このしきい値補正係数設定部２８は上記制動輪選択部１９が前輪側を制動輪として選択した際には判定しきい値補正係数ＧεΔに低いゲインＧεΔＬを、上記制動輪選択部１９が後輪側を制動輪として選択した際には判定しきい値補正係数ＧεΔに初期値ＧεΔＮを設定して判定しきい値εΔを補正する。
【０１０６】
また、上記タイヤ圧状態判定処理選択部１６は、前輪側のタイヤ圧が異常に高くなっていれば（例えば、２．５kg/cm2より高い場合）、上記制動輪選択部１９が後輪側を制動輪として選択して行うアンダーステア傾向防止制御をできるだけ短く、かつ遅く行なうように判定しきい値を高く補正するように決定（オーバーステア傾向防止制御ＩＩ）して上記しきい値補正係数設定部２８に信号出力し、このしきい値補正係数設定部２８は上記制動輪選択部１９が後輪側を制動輪として選択した際には判定しきい値補正係数ＧεΔに大きいゲインＧεΔＨ（＞ＧεΔＮ）を、上記制動輪選択部１９が前輪側を制動輪として選択した際には判定しきい値補正係数ＧεΔに初期値ＧεΔＮを設定して判定しきい値εΔを補正する。
【０１０７】
また、上記タイヤ圧状態判定処理選択部１６は、後輪側のタイヤ圧が異常に高くなっていれば（例えば、２．５kg/cm2より高い場合）、上記制動輪選択部１９が前輪側を制動輪として選択して行うオーバーステア傾向防止制御をできるだけ短く、かつ遅く行なうように判定しきい値を高く補正するように決定（アンダーステア傾向防止制御ＩＩ）して上記しきい値補正係数設定部２８に信号出力し、このしきい値補正係数設定部２８は上記制動輪選択部１９が前輪側を制動輪として選択した際には判定しきい値補正係数ＧεΔに大きいゲインＧεΔＨを、上記制動輪選択部１９が後輪側を制動輪として選択した際には判定しきい値補正係数ＧεΔに初期値ＧεΔＮを設定して判定しきい値εΔを補正する。
【０１０８】
このように、タイヤ圧による影響が制御の実行を判定する判定しきい値に対して反映されるため、制動力制御装置からの制動力により確実に車両の走行安定性を向上させることができるようになっている。
【０１０９】
以上のように構成される本発明の実施の形態２による制動力制御を、図１１、図１２のフローチャートで説明する。これらのフローチャートは、前記発明の実施の形態１の図４、図５に示すフローチャートに対応するもので、Ｓ１０６で目標制動力算出部２６の前輪目標制動力算出部２６ｆと後輪目標制動力算出部２６ｒで、前記（８），（９）式に基づき、前輪目標液圧ＢＦ２ｆ，後輪目標液圧ＢＦ２ｒを演算した後、Ｓ１０８に進む。
【０１１０】
その後、Ｓ１２２、Ｓ１２０の判定でＦUS＝０、Ｓ１２３の判定でＦTR＝１、Ｓ１２５のいずれかからはＳ３０１に進み、しきい値補正係数設定部２８により設定された判定しきい値補正係数ＧεΔで上記判定しきい値εΔに対する補正が行われて（ＧεΔ・εΔ）、Ｓ３０２へ進む。
【０１１１】
このＳ３０２へ進むと、ヨーレート偏差Δγと補正された判定しきい値εΔとの比較（絶対値の比較）が行なわれ、ヨーレート偏差Δγが制御領域にある場合（｜Δγ｜＞ＧεΔ・εΔ）は、Ｓ１２７に進み、制動信号出力部２１からブレーキ駆動部１に対して信号の出力が行なわれる。すなわち、上記Ｓ３０２で制御領域と判定した場合、前記Ｓ１１２から上記Ｓ１１９を経た場合は、上記ブレーキ駆動部１はホイールシリンダ５rlに対し、液圧ＢＲＬ＝ＢＦ２ｒに対応する制動力を発生させ、前記Ｓ１１６から上記Ｓ１１９を経た場合は、上記ブレーキ駆動部１はホイールシリンダ５rrに対し、液圧ＢＲＲ＝ＢＦ２ｒに対応する制動力を発生させ、前記Ｓ１１３から上記Ｓ１２０を経た場合は、上記ブレーキ駆動部１はホイールシリンダ５frに対し、液圧ＢＦＲ＝ＢＦ２ｆに対応する制動力を発生させ、前記Ｓ１１７から上記Ｓ１２０を経た場合は、上記ブレーキ駆動部１はホイールシリンダ５flに対し、液圧ＢＦＬ＝ＢＦ２ｆに対応する制動力を発生させる。
【０１１２】
一方、上記Ｓ３０２でヨーレート偏差Δγが非制御領域にある場合（｜Δγ｜≦ＧεΔ・εΔ）は、Ｓ１２８に進む。
【０１１３】
また、上記Ｓ１１８からＳ１２１に進むと、車両が略直進状態あるいは実ヨーレートγが目標ヨーレートγ' に略一致していることを示す直進・定常走行状態フラグＦNSがセット（ＦNS←１）され、Ｓ１２８に進む。
【０１１４】
そして、上記Ｓ１２１あるいは上記Ｓ３０２から上記Ｓ１２８に進むと、制動信号の出力は行なわれず、設定液圧もクリアされる。すなわち、上記Ｓ１２７あるいは上記Ｓ１２８は、制動信号出力部２１で行なわれる処理となっている。その後、Ｓ１２９以下に進んでプログラムを抜ける。
【０１１５】
このように、本発明の実施の形態２では、タイヤ圧による影響が制御の実行を判定する判定しきい値に対して反映されるため、制動力制御装置からの制動力により確実に車両の走行安定性を向上させることができる。
【０１１６】
次に、図１４および図１５は本発明の実施の形態３を示し、図１４は制動力制御装置の機能ブロック図、図１５は設定される目標制動力補正係数と判定しきい値補正係数の説明図である。尚、本発明の実施の形態３は、タイヤ圧による影響を目標制動力と判定しきい値の両方に反映させるようにして、制動力制御装置からの制動力により確実に車両の走行安定性を向上させるようにしたものである。
【０１１７】
本発明の実施の形態３の制御装置３０は、図１４に示すように、車速算出部１１，操舵角算出部１２，ヨーレート定常ゲイン算出部１３，目標ヨーレート算出部１４，ヨーレート偏差算出部１５，タイヤ圧状態判定処理選択部１６，目標制動力補正係数設定部１７，目標制動力算出部１８，制動輪選択部１９，制動信号出力部２１，出力判定部２７およびしきい値補正係数設定部２８から主要に構成されている。
【０１１８】
そして、上記タイヤ圧状態判定処理選択部１６と上記目標制動力補正係数設定部１７と上記しきい値補正係数設定部２８とでタイヤ圧影響補正手段が形成され、上記タイヤ圧状態判定処理選択部１６と上記目標制動力補正係数設定部１７と上記しきい値補正係数設定部２８とにより、具体的には、図１５に示すように、以下の補正が行われる。
【０１１９】
上記タイヤ圧状態判定処理選択部１６は、前後輪のタイヤ圧が共に正常な値の範囲（例えば、２．５kg/cm2以下で、かつ１．５kg/cm2以上）であれば、全ての目標制動力に対してタイヤ圧補正を加えず、そのままの値（通常制御）として上記目標制動力補正係数設定部１７に信号出力し、この目標制動力補正係数設定部１７は前輪側のタイヤ圧影響補正ゲイン（乗数）ＧＢと後輪側のタイヤ圧影響補正ゲイン（乗数）ＧＢには共に初期値ＧBN（例えば、１）を設定する。さらに、上記タイヤ圧状態判定処理選択部１６は、判定しきい値εΔに対してタイヤ圧補正を加えず、そのままの値（通常制御）として上記しきい値補正係数設定部２８に信号出力し、このしきい値補正係数設定部２８は上記制動輪選択部１９からいかなる信号入力があっても判定しきい値補正係数ＧεΔには初期値ＧεΔＮ（例えば、１）を設定する。
【０１２０】
また、上記タイヤ圧状態判定処理選択部１６は、前輪側のタイヤ圧が異常に低くなっていれば（例えば、１．５kg/cm2より低い場合）、後輪側の目標制動力を高く補正してアンダーステア傾向防止制御（アンダーステア傾向防止制御Ｉ）を行うように決定して上記目標制動力補正係数設定部１７に信号出力し、この目標制動力補正係数設定部１７は前輪側の目標制動力補正係数ＧＢには初期値ＧBNを、後輪側の目標制動力補正係数ＧＢには大きなゲインＧBH（＞ＧBN）を設定して目標制動力に対する補正を行う。さらに、上記タイヤ圧状態判定処理選択部１６は、上記制動輪選択部１９が後輪側を制動輪として選択して行うアンダーステア傾向防止制御をできるだけ長く、かつ早く行えるように判定しきい値を低く補正するように決定（アンダーステア傾向防止制御Ｉ）して上記しきい値補正係数設定部２８に信号出力し、このしきい値補正係数設定部２８は上記制動輪選択部１９が後輪側を制動輪として選択した際には判定しきい値補正係数ＧεΔに低いゲインＧεΔＬ（ＧεΔＮ＞ＧεΔＬ＞０）を、上記制動輪選択部１９が前輪側を制動輪として選択した際には判定しきい値補正係数ＧεΔに初期値ＧεΔＮを設定して判定しきい値εΔを補正する。
【０１２１】
また、上記タイヤ圧状態判定処理選択部１６は、後輪側のタイヤ圧が異常に低くなっていれば（例えば、１．５kg/cm2より低い場合）、前輪側の目標制動力を高く補正してオーバーステア傾向防止制御（オーバーステア傾向防止制御Ｉ）を行うように決定して上記目標制動力補正係数設定部１７に信号出力し、この目標制動力補正係数設定部１７は前輪側の目標制動力補正係数ＧＢには大きなゲインＧBHを、後輪側の目標制動力補正係数ＧＢには初期値ＧBNを設定して目標制動力に対する補正を行う。さらに、上記タイヤ圧状態判定処理選択部１６は、上記制動輪選択部１９が前輪側を制動輪として選択して行うオーバーステア傾向防止制御をできるだけ長く、かつ早く行えるように判定しきい値を低く補正するように決定（オーバーステア傾向防止制御Ｉ）して上記しきい値補正係数設定部２８に信号出力し、このしきい値補正係数設定部２８は上記制動輪選択部１９が前輪側を制動輪として選択した際には判定しきい値補正係数ＧεΔに低いゲインＧεΔＬを、上記制動輪選択部１９が後輪側を制動輪として選択した際には判定しきい値補正係数ＧεΔに初期値ＧεΔＮを設定して判定しきい値εΔを補正する。
【０１２２】
また、上記タイヤ圧状態判定処理選択部１６は、前輪側のタイヤ圧が異常に高くなっていれば（例えば、２．５kg/cm2より高い場合）、後輪側の目標制動力を低く補正してオーバーステア傾向防止制御（オーバーステア傾向防止制御ＩＩ）を行うように決定して上記目標制動力補正係数設定部１７に信号出力し、この目標制動力補正係数設定部１７は前輪側の目標制動力補正係数ＧＢには初期値ＧBNを、後輪側の目標制動力補正係数ＧＢには小さなゲインＧBL（ＧBN＞ＧBL＞０）を設定して目標制動力に対する補正を行う。さらに、上記タイヤ圧状態判定処理選択部１６は、上記制動輪選択部１９が後輪側を制動輪として選択して行うアンダーステア傾向防止制御をできるだけ短く、かつ遅く行なうように判定しきい値を高く補正するように決定（オーバーステア傾向防止制御ＩＩ）して上記しきい値補正係数設定部２８に信号出力し、このしきい値補正係数設定部２８は上記制動輪選択部１９が後輪側を制動輪として選択した際には判定しきい値補正係数ＧεΔに大きいゲインＧεΔＨ（＞ＧεΔＮ）を、上記制動輪選択部１９が前輪側を制動輪として選択した際には判定しきい値補正係数ＧεΔに初期値ＧεΔＮを設定して判定しきい値εΔを補正する。
【０１２３】
また、上記タイヤ圧状態判定処理選択部１６は、後輪側のタイヤ圧が異常に高くなっていれば（例えば、２．５kg/cm2より高い場合）、前輪側の目標制動力を低く補正してアンダーステア傾向防止制御（アンダーステア傾向防止制御ＩＩ）を行うように決定して上記目標制動力補正係数設定部１７に信号出力し、この目標制動力補正係数設定部１７は前輪側の目標制動力補正係数ＧＢには小さなゲインＧBLを、後輪側の目標制動力補正係数ＧＢには初期値ＧBNを設定して目標制動力に対する補正を行う。さらに、上記タイヤ圧状態判定処理選択部１６は、上記制動輪選択部１９が前輪側を制動輪として選択して行うオーバーステア傾向防止制御をできるだけ短く、かつ遅く行なうように判定しきい値を高く補正するように決定（アンダーステア傾向防止制御ＩＩ）して上記しきい値補正係数設定部２８に信号出力し、このしきい値補正係数設定部２８は上記制動輪選択部１９が前輪側を制動輪として選択した際には判定しきい値補正係数ＧεΔに大きいゲインＧεΔＨを、上記制動輪選択部１９が後輪側を制動輪として選択した際には判定しきい値補正係数ＧεΔに初期値ＧεΔＮを設定して判定しきい値εΔを補正する。
【０１２４】
このように、タイヤ圧による影響が目標制動力と判定しきい値の両方に反映されるため、制動力制御装置からの制動力により効果的かつ確実に車両の走行安定性を向上させることができるようになっている。尚、本発明の実施の形態３における制御フローチャートは、前半部分は図２により行われ、後半部分は図１２により行われるものである。
【０１２５】
【発明の効果】
以上、説明したように本発明によれば、タイヤ圧による影響を考慮して車両のオーバーステア傾向あるいはアンダーステア傾向を抑制し、確実に車両の走行安定性を向上させることが可能となる。
【図面の簡単な説明】
【図１】本発明の実施の形態１による制動力制御装置の機能ブロック図
【図２】本発明の実施の形態１による制動力制御装置の概略構成を示す説明図
【図３】本発明の実施の形態１による制動力制御による車両の動作の説明図
【図４】本発明の実施の形態１による制動力制御のフローチャート
【図５】図４の続きのフローチャート
【図６】本発明の実施の形態１によるタイヤ圧状態判定処理選択部で実行されるフローチャート
【図７】本発明の実施の形態１による目標制動力補正係数設定部で設定される目標制動力補正係数の説明図
【図８】本発明の実施の形態１による制動力制御の一例のタイムチャート
【図９】本発明の実施の形態１による判定しきい値の特性の説明図
【図１０】本発明の実施の形態２による制動力制御装置の機能ブロック図
【図１１】本発明の実施の形態２による制動力制御のフローチャート
【図１２】図１１の続きのフローチャート
【図１３】本発明の実施の形態２によるしきい値補正係数で設定される判定しきい値補正係数の説明図
【図１４】本発明の実施の形態３による制動力制御装置の機能ブロック図
【図１５】本発明の実施の形態３による設定される目標制動力補正係数と判定しきい値補正係数の説明図
【符号の説明】
１    ブレーキ駆動部
４fl，４fr，４rl，４rr    車輪
５fl，５fr，５rl，５rr    ホイールシリンダ
６fl，６fr，６rl，６rr    車輪速度センサ（車速検出手段）
７fl，７fr，７rl，７rr    タイヤ圧センサ（タイヤ圧検出手段）
８    ハンドル角センサ（操舵角検出手段）
９    ヨーレートセンサ（実ヨーレート検出手段）
１０    制御装置
１１    車速算出部（車速検出手段）
１２    操舵角算出部（操舵角検出手段）
１３    ヨーレート定常ゲイン算出部（目標ヨーレート算出手段）
１４    目標ヨーレート算出部（目標ヨーレート算出手段）
１５    ヨーレート偏差算出部（ヨーレート偏差算出手段）
１６    タイヤ圧状態判定処理選択部（タイヤ圧影響補正手段）
１７    目標制動力補正係数設定部（タイヤ圧影響補正手段）
１８    目標制動力算出部（目標制動力算出手段）
１９    制動輪選択部（制動輪選択手段）
２０    出力判定部（出力判定手段）
２１    制動信号出力部（制動信号出力手段）
【図１】
0004005669.tif 000005
【図２】
0004005669.tif 000006
【図３】
0004005669.tif 000007
【図４】
0004005669.tif 000008
【図５】
0004005669.tif 000009
【図６】
0004005669.tif 000010
【図７】
0004005669.tif 000011
【図８】
0004005669.tif 000012
【図９】
0004005669.tif 000013
【図１０】
0004005669.tif 000014
【図１１】
0004005669.tif 000015
【図１２】
0004005669.tif 000016
【図１３】
0004005669.tif 000017
【図１４】
0004005669.tif 000018
【図１５】
0004005669.tif 000019